(57)【要約】【課題】使用時に装着感を損なうことがなく、かつ、使用者の皮膚等に異常を発生させる可能性が低い家庭用永久磁石磁気治療器を提供する。【解決手段】絆創膏５００により使用者の皮膚Ｈ表面に貼り付けて用いる家庭用永久磁石磁気治療器１００であって、内部に永久磁石部収納部５０を有し、厚さが０．５ｍｍ〜１．５５ｍｍである円盤状の保護ケース部２０と、永久磁石部収納部５０に収納され、厚さが０．３ｍｍ〜１．２ｍｍであるネオジム−鉄−ホウ素系合金焼結磁石からなる永久磁石部１０とを備えることを特徴とする。【選択図】図１
2011024653.tif 000002
【特許請求の範囲】
【請求項１】
貼り付け部材により使用者の皮膚表面に貼り付けて用いる家庭用永久磁石磁気治療器であって、
内部に永久磁石部収納部を有し、厚さが０．５ｍｍ〜１．５５ｍｍである円盤状の保護ケース部と、
前記永久磁石部収納部に収納され、厚さが０．３ｍｍ〜１．２ｍｍであるネオジム−鉄−ホウ素系合金焼結磁石からなる永久磁石部とを備えることを特徴とする家庭用永久磁石磁気治療器。
【請求項２】
請求項１に記載の家庭用永久磁石磁気治療器において、
前記保護ケース部は、非磁性金属材料からなり使用時に使用者の皮膚表面側に位置することとなる第１ケース部材と、非磁性金属材料又は軟磁性金属材料からなり使用時に使用者の皮膚表面側とは反対側に位置することとなる第２ケース部材とを有し、
前記永久磁石部収納部は、前記第１ケース部材の内面と前記第２ケース部材の内面とにより形成されていることを特徴とする家庭用永久磁石磁気治療器。
【請求項３】
請求項２に記載の家庭用永久磁石磁気治療器において、
前記保護ケース部は、前記第１ケース部材と前記第２ケース部材との間に挟みこまれるシール部材をさらに有することを特徴とする家庭用永久磁石磁気治療器。
【請求項４】
請求項２又は３に記載の家庭用永久磁石磁気治療器において、
前記第１ケース部材の外面及び前記第２ケース部材の外面には、金、白金、ロジウム又はパラジウムを主成分とする保護コーティング層が形成されていることを特徴とする家庭用永久磁石磁気治療器。
【請求項５】
請求項４に記載の家庭用永久磁石磁気治療器において、
前記保護コーティング層は、ゲルマニウム、ラジウム又はトルマリンを含有することを特徴とする家庭用永久磁石磁気治療器。
【請求項６】
請求項４又は５に記載の家庭用永久磁石磁気治療器において、
前記第２ケース部材と、前記保護コーティング層との間には、軟磁性金属材料からなる磁性めっき層が形成されていることを特徴とする家庭用永久磁石磁気治療器。
【請求項７】
請求項２〜６のいずれかに記載の家庭用永久磁石磁気治療器において、
前記第２ケース部材の内面には、軟磁性金属材料からなる磁性めっき層が形成されていることを特徴とする家庭用永久磁石磁気治療器。
【請求項８】
請求項２〜７のいずれかに記載の家庭用永久磁石磁気治療器において、
前記家庭用永久磁石磁気治療器は、前記永久磁石部として、複数の前記永久磁石部を備え、
複数の前記永久磁石部は、前記永久磁石部収納部に収納されていることを特徴とする家庭用永久磁石磁気治療器。
【請求項９】
請求項１に記載の家庭用永久磁石磁気治療器において、
前記保護ケース部は、非磁性金属材料からなり、かつ、使用時に使用者の皮膚表面側とは反対側に位置することとなる面に形成された永久磁石部挿入孔を有し、
前記永久磁石部挿入孔の一部が、前記永久磁石部収納部となることを特徴とする家庭用永久磁石磁気治療器。
【請求項１０】
請求項９に記載の家庭用永久磁石磁気治療器において、
前記保護ケース部の表面には、金、白金、ロジウム又はパラジウムを主成分とする保護コーティング層が形成されていることを特徴とする家庭用永久磁石磁気治療器。
【請求項１１】
請求項１０に記載の家庭用永久磁石磁気治療器において、
前記保護コーティング層は、ゲルマニウム、ラジウム又はトルマリンを含有することを特徴とする家庭用永久磁石磁気治療器。
【請求項１２】
請求項２〜１１に記載の家庭用永久磁石磁気治療器において、
前記家庭用永久磁石磁気治療器の表面には、含侵による封孔処理が施されていることを特徴とする家庭用永久磁石磁気治療器。
【請求項１３】
請求項１に記載の家庭用永久磁石磁気治療器において、
前記保護ケース部は、樹脂からなり、かつ、使用時に使用者の皮膚表面側とは反対側に位置することとなる面に形成された永久磁石部挿入孔を有し、
前記永久磁石部挿入孔の一部が、前記永久磁石部収納部となることを特徴とする家庭用永久磁石磁気治療器。
【請求項１４】
請求項１３に記載の家庭用永久磁石磁気治療器において、
前記保護ケース部は、樹脂中にゲルマニウム、ラジウム又はトルマリンを含有することを特徴とする家庭用永久磁石磁気治療器。
【請求項１５】
請求項２〜１４のいずれかに記載の家庭用永久磁石磁気治療器において、
前記永久磁石部は、使用時に使用者の皮膚表面側に位置することとなる面に形成された凹部又は使用時に使用者の皮膚表面側に位置することとなる面から他の面へ貫通するように形成された貫通孔を有することを特徴とする家庭用永久磁石磁気治療器。
【請求項１６】
請求項２〜１５のいずれかに記載の家庭用永久磁石磁気治療器において、
前記保護ケース部の角部には、丸め加工、面取り加工又はその両方が施されていることを特徴とする家庭用永久磁石磁気治療器。
【発明の詳細な説明】
【技術分野】
【０００１】
本発明は、家庭用永久磁石磁気治療器に関する。
【背景技術】
【０００２】
従来、磁気治療効果を目的として、絆創膏、パッチ、シール等（以下、これらの部材を貼り付け部材ということもある。）により使用者の皮膚表面に貼り付けて用いる家庭用永久磁石磁気治療器が広く知られている（例えば、特許文献１参照。）。
【０００３】
図１５は、従来の家庭用永久磁石磁気治療器９００を説明するために示す断面図である。なお、図１５において符号Ｈで示すのは使用者の皮膚であり、他の図においても同様とする。
従来の家庭用永久磁石磁気治療器９００は、絆創膏９１０により使用者の皮膚Ｈ表面に貼り付けて用いる円盤状の家庭用永久磁石磁気治療器であり、厚さ２．５ｍｍ、直径５ｍｍのフェライト磁石からなる。なお、図１５において、符号９１２は絆創膏９１０の基材を示し、符号９１４は上部剥離紙を示す。
【先行技術文献】
【特許文献】
【０００４】
【特許文献１】特開２００５−２９６４５５号公報
【発明の概要】
【発明が解決しようとする課題】
【０００５】
しかしながら、従来の家庭用永久磁石磁気治療器９００においては、家庭用永久磁石磁気治療器９００が磁力の弱いフェライト磁石からなるため、家庭用永久磁石磁気治療器として必要な磁力を確保するためにある程度の厚さが必要となり、その結果、使用時に装着感が損なわれるという問題がある。
また、従来の家庭用永久磁石磁気治療器９００においては、使用者に皮膚等の異常（例えば、金属アレルギー等）を発生させる可能性が高い金属成分が含まれているフェライト磁石が、使用者の皮膚表面に直接接触することとなるため、使用者の皮膚等に異常を発生させる可能性が高いという問題がある。
【０００６】
そこで、本発明は、上記の各問題を解決するためになされたもので、使用時に装着感を損なうことがなく、かつ、使用者の皮膚等に異常を発生させる可能性が低い家庭用永久磁石磁気治療器を提供することを目的とする。
【課題を解決するための手段】
【０００７】
［１］本発明の家庭用永久磁石磁気治療器は、貼り付け部材により使用者の皮膚表面に貼り付けて用いる家庭用永久磁石磁気治療器であって、内部に永久磁石部収納部を有し、厚さが０．５ｍｍ〜１．５５ｍｍである円盤状の保護ケース部と、前記永久磁石部収納部に収納され、厚さが０．３ｍｍ〜１．２ｍｍであるネオジム−鉄−ホウ素系合金焼結磁石からなる永久磁石部とを備えることを特徴とする。
【０００８】
本発明の家庭用永久磁石磁気治療器によれば、保護ケース部の厚さが０．５ｍｍ〜１．５５ｍｍであるため、従来の家庭用永久磁石磁気治療器よりも薄くなり、使用時に装着感を損なうことがない。なお、保護ケース部の厚さを０．５ｍｍ〜１．５５ｍｍとするのに伴って、永久磁石部の厚さも０．３ｍｍ〜１．２ｍｍと薄くなっているが、永久磁石部が磁力の強いネオジム−鉄−ホウ素系合金焼結磁石からなるため、十分な磁気治療効果を得ることができる。
また、本発明の家庭用永久磁石磁気治療器によれば、永久磁石部が保護ケース部の内部の永久磁石部収納部に収納されているため、使用時に永久磁石部が使用者の皮膚表面に直接接触することがなくなり、保護ケース部の表面を人体に対する反応性の低い材料で構成することにより、使用者の皮膚等に異常を発生させる可能性を少なくすることが可能となる。
その結果、本発明の家庭用永久磁石磁気治療器は、使用時に装着感を損なうことがなく、かつ、使用者の皮膚等に異常を発生させる可能性が低い家庭用永久磁石磁気治療器となる。
【０００９】
また、本発明の家庭用永久磁石磁気治療器によれば、厚さを０．３ｍｍ〜１．２ｍｍとすることにより強度が損なわれることがある永久磁石部を保護ケース部により保護し、十分な強度を有する家庭用永久磁石磁気治療器とすることが可能となる。
【００１０】
保護ケース部の厚さは、使用時に装着感を損なわないようにするという観点からは１．５ｍｍ以下であることがより好ましい。また、保護ケース部の厚さは、強度を確保するという観点からは０．８ｍｍ以上であることがより好ましい。
【００１１】
永久磁石部の厚さは、保護ケース部への収納性という観点からは１ｍｍ以下であることがより好ましい。また、永久磁石部の厚さは、十分な磁力を確保するという観点からは０．４ｍｍ以上であることがより好ましい。
【００１２】
本発明の家庭用永久磁石磁気治療器においては、永久磁石部の表面には、防錆層が形成されていることが好ましい。
このような構成とすることにより、永久磁石部の耐食性を向上させることが可能となる。
防錆層とは、永久磁石部の腐食を防ぐ効果がある層のことをいう。防錆層としては、ニッケルからなる防錆層、種々の樹脂からなる防錆層、貴金属からなる防錆層等を用いることができる。
【００１３】
［２］本発明の家庭用永久磁石磁気治療器においては、前記保護ケース部は、非磁性金属材料からなり使用時に使用者の皮膚表面側に位置することとなる第１ケース部材と、非磁性金属材料又は軟磁性金属材料からなり使用時に使用者の皮膚表面側とは反対側に位置することとなる第２ケース部材とを有し、前記永久磁石部収納部は、前記第１ケース部材の内面と前記第２ケース部材の内面とにより形成されていることが好ましい。
【００１４】
このような構成とすることにより、永久磁石部収納部に永久磁石部を収納することが可能な家庭用永久磁石磁気治療器となる。
また、第１ケース部材の内面と第２ケース部材の内面とが形成する永久磁石部収納部に永久磁石部を収納する構造を有するため、永久磁石部の腐食の原因となりやすい外気、汗等から永久磁石部を保護することが可能となる。
また、保護ケース部が金属材料（非磁性金属材料又は軟磁性金属材料）であることから、剛性が高い保護ケース部とすることが可能となる。
なお、本発明の家庭用永久磁石磁気治療器においては、使用時に使用者の皮膚表面側に位置することとなる第１ケース部材が非磁性金属材料からなるものであるため、磁気治療効果が損なわれることもない。
【００１５】
非磁性金属材料とは、磁性を有さない金属材料をいう。非磁性金属材料の具体例としては、銅、銅合金、チタン、チタン合金、アルミニウム、アルミニウム合金、マグネシウム、マグネシウム合金、亜鉛、亜鉛合金、非磁性鋼、貴金属及び貴金属を主成分とする合金を挙げることができる。
使用時に使用者の皮膚表面側に位置することとなる第１ケース部材が、チタン、チタン合金、一部の非磁性鋼（特に、オーステナイト系ステンレス鋼）、貴金属又は貴金属を主成分とする合金からなる場合には、当該非磁性金属材料は人体に対する反応性が極めて低いため、使用者の皮膚等に異常を発生させる可能性が極めて低い家庭用永久磁石磁気治療器とすることができる。
第１ケース部材が、アルミニウム、アルミニウム合金、マグネシウム又はマグネシウム合金からなる場合には、陽極酸化処理や化成処理を施すことにより、人体に対する反応性を極めて低くすることができるため、使用者の皮膚等に異常を発生させる可能性が極めて低い家庭用永久磁石磁気治療器とすることができる。
第１ケース部材が、銅、銅合金、亜鉛、亜鉛合金及び多くの非磁性鋼（特に、高マンガン鋼及び高ニッケル鋼）からなる場合には、第１ケース部材の外面に、人体に対する反応性が極めて低い材料からなる層を形成することにより、人体に対する反応性を極めて低くすることができるため、使用者の皮膚等に異常を発生させる可能性が極めて低い家庭用永久磁石磁気治療器とすることができる。
なお、第１ケース部材の外面及び第２ケース部材の外面とは、保護ケース部として用いるときに外部に露出する面をいう。
【００１６】
軟磁性金属材料とは、軟磁性を有する金属材料をいう。軟磁性金属材料の具体例としては、鉄、鉄系合金及び磁性鋼を挙げることができる。
ところで、一般的な家庭用永久磁石磁気治療器においては、家庭用永久磁石磁気治療器の磁気の影響が外部の物体等に及ぶことがある。特に、磁気を利用する記録媒体に対する影響は大きく、これらの記録媒体、ひいては記録媒体を使用する製品（例えば、キャッシュカード等）を使用不可能にしてしまう可能性があるという問題がある。
これに対して、本発明の家庭用永久磁石磁気治療器によれば、使用時に使用者の皮膚表面側とは反対側に位置することとなる第２ケース部材が、軟磁性金属材料からなる場合には、使用時における使用者の皮膚表面側以外への磁気を遮蔽することが可能となり、上記の問題を解決することができる。
また、軟磁性金属材料からなる第２ケース部材を備える家庭用永久磁石磁気治療器は、当該第２ケース部材によって、使用者の皮膚表面側以外への磁気を遮蔽するとともに、使用者の皮膚表面側への磁気をより強くする効果（バックヨーク効果）を有するようになり、より強い磁気治療効果を得ることが可能な家庭用永久磁石磁気治療器となる。
【００１７】
銅合金とは、銅を主成分とし、亜鉛、ニッケル、錫等その他の成分を含有する合金をいう。具体例としては、真鍮、洋白及び青銅を挙げることができる。
また、チタン合金とは、チタンを主成分とし、アルミニウム、バナジウム、ニオブ、銀、モリブデン等その他の成分を含有する合金をいう。具体例としては、６０種及び６１種のチタン合金を挙げることができる。
また、アルミニウム合金とは、アルミニウムを主成分とし、亜鉛、マグネシウム、銅その他の成分を含有する合金をいう。具体例としては、ジュラルミン、３０００系アルミニウム合金及び４０００系アルミニウム合金を挙げることができる。
また、マグネシウム合金とは、マグネシウムを主成分とし、アルミニウム、亜鉛、カルシウムその他の成分を含有する合金をいう。具体例としては、ＡＺ３１系合金、ＡＺ９１系合金及びＺＫ５１Ａ合金を挙げることができる。
また、亜鉛合金とは、亜鉛を主成分とし、アルミニウム、銅、マグネシウムその他の成分を含有する合金をいう。具体例としては、ＺＤＣ１合金及びＺＤＣ２合金を挙げることができる。
また、非磁性鋼とは、一般に鋼と呼ばれるもののうち磁性を有しないものをいう。具体例としては、オーステナイト系ステンレス鋼、オーステナイト系耐熱鋼、高マンガン鋼及び高ニッケル鋼を挙げることができる。
また、貴金属とは、金、銀及び白金族金属の総称をいう。第１ケース部材の材料としては、金、銀、白金、パラジウムが特に適する。貴金属を主成分とする合金とは、前記した貴金属を主成分とする種々の合金をいう。
【００１８】
鉄系合金とは、鉄族元素である鉄、ニッケル、コバルトを主成分として含有する合金をいう。具体例としては、鉄−ケイ素系合金、鉄−ニッケル系合金、鉄−コバルト合金及びアモルファス合金を挙げることができる。
鉄−ケイ素系合金とは、鉄を主成分とし、０．４％〜５％ほどのケイ素を含有する合金のことをいう。具体例としては、無方向性ケイ素鋼、方向性ケイ素鋼等を挙げることができる。
鉄−ニッケル系合金とは、鉄及びニッケルを主成分とする合金のことをいう。具体例としては、ニッケルの含有率が７８．５％付近である７８−パーマロイや、７８−パーマロイにさらに５％ほどのモリブデンを含有させたスーパーマロイ等を挙げることができる。
鉄−コバルト系合金とは、鉄及びコバルトを主成分とする合金のことをいう。具体例としては、およそ等量の鉄とコバルトとからなるパーメンジュール等を挙げることができる。
アモルファス合金とは、結晶構造を持たない合金のことをいう。具体例としては、鉄系アモルファス合金及びコバルト系アモルファス合金等を挙げることができる。
磁性鋼とは、一般に鋼と呼ばれるもののうち磁性を有するものをいう。具体例としては、フェライト系ステンレス鋼、マルテンサイト系ステンレス鋼、炭素工具鋼、合金工具鋼及び高速度鋼を挙げることができる。
【００１９】
なお、第１ケース部材の内面及び第２ケース部材の内面とは、保護ケース部として用いるときに、永久磁石部と向かい合う面をいう。
【００２０】
［３］本発明の家庭用永久磁石磁気治療器においては、前記保護ケース部は、前記第１ケース部材と前記第２ケース部材との間に挟みこまれるシール部材をさらに有することが好ましい。
【００２１】
このような構成とすることにより、シール部材の働きにより保護ケース部の内部に外気、汗等が侵入することを防止することが可能となり、より確実に永久磁石部を保護することが可能となる。
なお、シール部材とは、第１ケース部材と第２ケース部材との隙間を補填する部材をいう。具体例としては、Ｏリング、シート、接着剤等を挙げることができる。シール部材を構成する材料としては、外気、汗等に対する耐久性が高い樹脂やゴム等を好適に用いることができる。
【００２２】
［４］本発明の家庭用永久磁石磁気治療器においては、前記第１ケース部材の外面及び前記第２ケース部材の外面には、金、白金、ロジウム又はパラジウムを主成分とする保護コーティング層が形成されていることが好ましい。
【００２３】
金、白金、ロジウム又はパラジウムは、非磁性金属であり、また、反応性が極めて低い金属であるため、上記のような構成とすることにより、磁気治療効果を毀損することなく使用者の皮膚等に異常を発生させる可能性を極めて低くすることができる。また、外気、汗等から第１ケース部材及び第２ケース部材をともに保護し、耐食性を高めることが可能となる。
また、金、白金、ロジウム又はパラジウムが質感に優れる貴金属であることから、高級感のある家庭用永久磁石磁気治療器となる。
【００２４】
保護コーティング層の厚さは、その効果を確保するという観点からは０．１μｍ以上であることが好ましく、０．３μｍ以上であることがより好ましい。また、当該厚さは、剥がれにくさを確保するという観点からは３μｍ以下であることが好ましい。
【００２５】
本発明の家庭用永久磁石磁気治療器においては、第１ケース部材及び第２ケース部材と、保護コーティング層との間には、ニッケル、パラジウム又はニッケル−パラジウム合金からなる下地めっき層を有することが好ましい。
このような構成とすることにより、保護コーティング層の密着性、緻密性、めっき付き回り性及び安定性を向上させ、保護コーティング層の耐食性をさらに向上させることが可能となる。
なお、下地めっき層の厚さは、その効果を確保するという観点からは０．０５μｍ以上であることが好ましい。また、当該厚さは、剥がれにくさを確保するという観点からは３μｍ以下であることが好ましい。
【００２６】
［５］本発明の家庭用永久磁石磁気治療器においては、前記保護コーティング層は、ゲルマニウム、ラジウム又はトルマリンを含有することが好ましい。
【００２７】
このような構成とすることにより、磁気治療効果に加えて、ゲルマニウム、ラジウム又はトルマリンが有する効果（例えば、新陳代謝の活性化、血流促進、温熱効果等）を得ることができる。
【００２８】
［６］本発明の家庭用永久磁石磁気治療器においては、前記第２ケース部材と、前記保護コーティング層との間には、軟磁性金属材料からなる磁性めっき層が形成されていることが好ましい。
【００２９】
このような構成とすることにより、使用時における使用者の皮膚表面側以外への磁気を遮蔽することが可能となる。
また、第２ケース部材と、保護コーティング層との間に磁性めっき層が形成されている家庭用永久磁石磁気治療器は、当該磁性めっき層によってバックヨーク効果を有するようになり、より強い磁気治療効果を得ることが可能な家庭用永久磁石磁気治療器となる。
また、第２ケース部材と保護コーティング層との間に磁性めっき層が形成されているため、保護コーティング層の働きによって、外気、汗等から磁性めっき層を保護することができる。
【００３０】
なお、磁性めっき層の厚みは、磁気を遮蔽するという観点からは３μｍ以上であることが好ましく、５μｍ以上であることがより好ましい。また、当該厚みは、使用時に装着感を損なわないようにするという観点及び製造時のコストを抑制するという観点からは２００μｍ以下であることが好ましく、１００μｍ以下であることがより好ましく、５０μｍ以下であることがさらに好ましい。
【００３１】
磁性めっき層を構成する軟磁性金属材料としては、めっき法に適する軟磁性金属材料を用いることが好ましい。めっき法に適する軟磁性金属材料の具体例としては、鉄、ニッケル、鉄−ケイ素系合金、鉄−ニッケル系合金、鉄−コバルト系合金等を挙げることができる。
【００３２】
［７］本発明の家庭用永久磁石磁気治療器においては、前記第２ケース部材の内面には、軟磁性金属材料からなる磁性めっき層が形成されていることが好ましい。
【００３３】
このような構成とすることによっても、使用時における使用者の皮膚表面側以外への磁気を遮蔽することが可能となる。
また、第２ケース部材の内面に磁性めっき層が形成されている家庭用永久磁石磁気治療器も、当該磁性めっき層によってバックヨーク効果を有するようになり、より強い磁気治療効果を得ることが可能な家庭用永久磁石磁気治療器となる。
また、第２ケース部材の内面に磁性めっき層が形成されているため、外気、汗等から磁性めっき層を保護することができる。
【００３４】
［８］本発明の家庭用永久磁石磁気治療器においては、前記家庭用永久磁石磁気治療器は、前記永久磁石部として、複数の前記永久磁石部を備え、複数の前記永久磁石部は、前記永久磁石部収納部に収納されていることが好ましい。
【００３５】
ところで、永久磁石部の角部においては、他の部分においてよりも強い磁力を得ることができる。このため、上記のような構成とすることにより、単一の永久磁石部を備える場合と比べて、複数の永久磁石部の角部においてより強い磁力を得ることができ、より大きな磁気治療効果を得ることが可能な家庭用永久磁石磁気治療器となる。
【００３６】
［９］本発明の家庭用永久磁石磁気治療器においては、前記保護ケース部は、非磁性金属材料からなり、かつ、使用時に使用者の皮膚表面側とは反対側に位置することとなる面に形成された永久磁石部挿入孔を有し、前記永久磁石部挿入孔の一部が、前記永久磁石部収納部となることが好ましい。
【００３７】
このような構成とすることにより、永久磁石部収納部に永久磁石部を収納することが可能な家庭用永久磁石磁気治療器となる。
また、永久磁石部挿入孔が使用時に使用者の皮膚表面側とは反対側に位置することとなる面に形成されているため、永久磁石部の腐食の原因となりやすい汗等から永久磁石部を保護することが可能となる。
また、このような構成とすることにより、保護ケース部が金属材料（非磁性金属材料）であるとともに、保護ケース部が単一の部材から構成されていることから、剛性が高い保護ケース部とすることが可能となる。
なお、本発明の家庭用永久磁石磁気治療器においては、保護ケース部が非磁性金属材料からなるものであるため、磁気治療効果が損なわれることもない。
【００３８】
［１０］本発明の家庭用永久磁石磁気治療器においては、前記保護ケース部の表面には、金、白金、ロジウム又はパラジウムを主成分とする保護コーティング層が形成されていることが好ましい。
【００３９】
金、白金、ロジウム又はパラジウムは、非磁性金属であり、また、反応性が極めて低い金属であるため、上記のような構成とすることにより、磁気治療効果を毀損することなく使用者の皮膚等に異常を発生させる可能性を極めて低くすることができる。また、外気、汗等から保護ケース部を保護し、耐食性を高めることが可能となる。
また、金、白金、ロジウム又はパラジウムが質感に優れる貴金属であることから、高級感のある家庭用永久磁石磁気治療器となる。
【００４０】
本発明の家庭用永久磁石磁気治療器においては、保護ケース部と保護コーティング層との間には、ニッケル、パラジウム又はニッケル−パラジウム合金からなる下地めっき層を有することが好ましい。
このような構成とすることにより、保護コーティング層の密着性、緻密性、めっき付き回り性及び安定性を向上させ、保護コーティング層の耐食性をさらに向上させることが可能となる。
なお、下地めっき層の厚さは、その効果を確保するという観点からは０．０５μｍ以上であることが好ましい。また、当該厚さは、剥がれにくさを確保するという観点からは３μｍ以下であることが好ましい。
【００４１】
［１１］本発明の家庭用永久磁石磁気治療器においては、前記保護コーティング層は、ゲルマニウム、ラジウム又はトルマリンを含有することが好ましい。
【００４２】
このような構成とすることにより、磁気治療効果に加えて、ゲルマニウム、ラジウム又はトルマリンが有する効果（例えば、新陳代謝の活性化、血流促進、温熱効果等）を得ることができる。
【００４３】
［１２］本発明の家庭用永久磁石磁気治療器においては、前記家庭用永久磁石磁気治療器の表面には、含侵による封孔処理が施されていることが好ましい。
【００４４】
このような構成とすることにより、保護ケース部の表面等に存在することがある微細な孔やクラックを樹脂によって塞ぎ、より安全性が高く、また、より耐食性が高い家庭用永久磁石磁気治療器とすることが可能となる。封孔処理に用いる樹脂の具体例としては、アクリル樹脂、エポキシ樹脂、フェノール樹脂等を挙げることができる。
【００４５】
［１３］本発明の家庭用永久磁石磁気治療器においては、前記保護ケース部は、樹脂からなり、かつ、使用時に使用者の皮膚表面側とは反対側に位置することとなる面に形成された永久磁石部挿入孔を有し、前記永久磁石部挿入孔の一部が、前記永久磁石部収納部となることが好ましい。
【００４６】
このような構成とすることにより、保護ケース部の内部に永久磁石部を収納することが可能な家庭用永久磁石磁気治療器となる。
また、永久磁石部挿入孔が使用時に使用者の皮膚表面側とは反対側に位置することとなる面に形成されているため、永久磁石部の腐食の原因となりやすい汗等から永久磁石部を保護することが可能となる。
また、このような構成とすることにより、樹脂は成型及び加工が比較的容易であるため、製造が比較的容易な保護ケース部とすることが可能となる。
なお、本発明の家庭用永久磁石磁気治療器においては、保護ケース部が樹脂からなるが、樹脂は非磁性材料であるため、磁気治療効果が損なわれることもない。
【００４７】
［１４］本発明の家庭用永久磁石磁気治療器においては、前記保護ケース部は、樹脂中にゲルマニウム、ラジウム又はトルマリンを含有することが好ましい。
【００４８】
このような構成とすることにより、磁気治療効果に加えて、ゲルマニウム、ラジウム又はトルマリンが有する効果（例えば、新陳代謝の活性化、血流促進、温熱効果等）を得ることができる。
【００４９】
［１５］本発明の家庭用永久磁石磁気治療器においては、前記永久磁石部は、使用時に使用者の皮膚表面側に位置することとなる面に形成された凹部又は使用時に使用者の皮膚表面側に位置することとなる面から他の面へ貫通するように形成された貫通孔を有することが好ましい。
【００５０】
永久磁石部上に凹部又は貫通孔が存在する場合、凹部の辺縁及び貫通孔の辺縁においては、他の部分においてよりも強い磁力を得ることができる。このため、上記のような構成とすることにより、凹部又は貫通孔の辺縁において、より大きな磁気治療効果を得ることが可能な家庭用永久磁石磁気治療器となる。
【００５１】
［１６］本発明の家庭用永久磁石磁気治療器においては、前記保護ケース部の角部には、丸め加工、面取り加工又はその両方が施されていることが好ましい。
【００５２】
このような構成とすることにより、使用時の装着感及び安全性を向上させることが可能となる。
【図面の簡単な説明】
【００５３】
【図１】実施形態１に係る家庭用永久磁石磁気治療器１００の使用時における態様を説明するために示す断面図である。
【図２】実施形態１に係る家庭用永久磁石磁気治療器１００を説明するために示す図である。
【図３】実施形態１に係る家庭用永久磁石磁気治療器１００における永久磁石部１０の製造方法を示すフローチャートである。
【図４】実施形態２に係る家庭用永久磁石磁気治療器１０２を説明するために示す断面図である。
【図５】実施形態３に係る家庭用永久磁石磁気治療器１０４を説明するために示す図である。
【図６】実施形態４に係る家庭用永久磁石磁気治療器１０６を説明するために示す図である。
【図７】実施形態５に係る家庭用永久磁石磁気治療器１０８を説明するために示す図である。
【図８】実施形態６に係る家庭用永久磁石磁気治療器１１０を説明するために示す図である。
【図９】実施形態７に係る家庭用永久磁石磁気治療器１１２を説明するために示す断面図である。
【図１０】実施形態８に係る家庭用永久磁石磁気治療器２００の使用時における態様を説明するために示す断面図である。
【図１１】実施形態８に係る家庭用永久磁石磁気治療器２００を説明するために示す図である。
【図１２】実施形態９に係る家庭用永久磁石磁気治療器２０２を説明するために示す図である。
【図１３】実施形態１０に係る家庭用永久磁石磁気治療器３００の使用時における態様を説明するために示す断面図である。
【図１４】実施形態１０に係る家庭用永久磁石磁気治療器３００を説明するために示す図である。
【図１５】従来の家庭用永久磁石磁気治療器９００を説明するために示す断面図である。
【００５４】
以下、本発明の家庭用永久磁石磁気治療器について、図に示す実施の形態に基づいて説明する。
【００５５】
［実施形態１］
図１は、実施形態１に係る家庭用永久磁石磁気治療器１００の使用時における態様を説明するために示す断面図である。
図２は、実施形態１に係る家庭用永久磁石磁気治療器１００を説明するために示す図である。図２（ａ）は家庭用永久磁石磁気治療器１００を示す上面図であり、図２（ｂ）は図２（ａ）のＡ１−Ａ１断面図である。
【００５６】
実施形態１に係る家庭用永久磁石磁気治療器１００の使用時には、図１に示すように、絆創膏５００により家庭用永久磁石磁気治療器１００を使用者の皮膚Ｈ表面に貼り付けて用いる。絆創膏５００は、基材及び粘着層からなる。基材の材料としては、例えば、綿−ポリウレタン混紡材、ポリ塩化ビニル、紙系不織布等を好適に用いることができる。粘着層の材料としては、例えば、アクリル系粘着材、ゴム系粘着材、シリコーン系粘着材等を好適に用いることができる。
【００５７】
実施形態１に係る家庭用永久磁石磁気治療器１００は、図１及び図２に示すように、円盤状の保護ケース部２０と、円盤状の永久磁石部１０とを備える。
【００５８】
保護ケース部２０は、内部に永久磁石部収納部５０を有し、厚さが１．４ｍｍ、直径が１０ｍｍである。なお、図２（ｂ）において、符号ｔ１で示すのは保護ケース部２０の厚さである。
【００５９】
保護ケース部２０は、非磁性金属材料であるチタンからなり使用時に使用者の皮膚表面側に位置することとなる第１ケース部材３０と、非磁性金属材料であるチタンからなり使用時に使用者の皮膚表面側とは反対側に位置することとなる第２ケース部材４０とを有する。
第１ケース部材３０及び第２ケース部材４０は、嵌合によって固定されている。なお、本発明はこれに限られるものではなく、第１ケース部材及び第２ケース部材は、ラッチ構造や接着剤等によって固定することもできる。
また、保護ケース部２０の角部には、丸め加工及び面取り加工の両方が施されている。
【００６０】
第１ケース部材３０の、使用時に永久磁石部１０の使用者の皮膚Ｈ表面側と向かい合う面（底面）の厚さは０．２ｍｍである。また、第２ケース部材４０の、使用時に永久磁石部１０の使用者の皮膚Ｈ表面側とは反対側の面と向かい合う面（天面）の厚さも０．２ｍｍである。
【００６１】
第１ケース部材３０の内面と第２ケース部材４０の内面とにより、円盤状の永久磁石部収納部５０が形成されている。
永久磁石部収納部５０は、後述する永久磁石部１０の寸法よりも大きく、深さが１ｍｍ、内径が８．２ｍｍである。
【００６２】
永久磁石部１０は、永久磁石部収納部５０に収納されている。また、永久磁石部１０は、厚さが０．８ｍｍ、直径が８ｍｍであり、ネオジム−鉄−ホウ素系合金焼結磁石からなる。なお、図２（ｂ）において、符号ｔ２で示すのは永久磁石部１０の厚さである。
図示による詳しい説明は省略するが、永久磁石部１０の表面には、ニッケルからなる防錆層が形成されている。防錆層は、後述するように電解めっき法で形成される。
なお、永久磁石部１０は、家庭用永久磁石磁気治療器１００を使用するときに、使用者の皮膚Ｈ表面側における磁束密度が１８０ｍＴ程度となるように構成されている。
【００６３】
次に、家庭用永久磁石磁気治療器１００の製造方法を説明する。
【００６４】
まず、実施形態１に係る家庭用永久磁石磁気治療器１００における永久磁石部１０の製造方法を説明する。
図３は、実施形態１に係る家庭用永久磁石磁気治療器１００における永久磁石部１０の製造方法を示すフローチャートである。
永久磁石部１０は、上記したようにネオジム−鉄−ホウ素系合金焼結磁石からなり、以下においては当該ネオジム−鉄−ホウ素系合金焼結磁石の製造方法を説明する。
【００６５】
（１）加熱溶融工程Ｓ１
まず、永久磁石部１０の原料（ネオジム、鉄、ホウ素及びその他の添加物）を混合した後に、１２００℃〜１３００℃の温度で溶融させる。加熱には、例えば、高周波溶融炉を用いることができる。加熱溶融工程Ｓ１は、原料の酸化を防ぐために不活性ガス（例えば、アルゴンガス）雰囲気下又は真空下において行う。
【００６６】
（２）粉砕工程Ｓ２
次に、融解した原料を冷却し、固化させた後に粉砕して、粒径数μｍの粉末とする。粉砕には、ジェットミルやボールミル等の種々の粉砕機を用いることができる。いずれの粉砕機を用いる場合においても、原料の酸化を防ぐため、不活性ガス（例えば、窒素ガス）雰囲気下において粉砕する。
【００６７】
（３）成形工程Ｓ３
次に、粉末とした原料を、永久磁石部１０の形状に相当する金型に入れ、プレス成形を行う。このとき、着磁工程Ｓ７において着磁すべき方向に沿う磁場をかけ、そのままプレス成形を行うことで、磁石を構成する結晶成分の方向を揃えることができる。これにより、完成する永久磁石部１０を強力な永久磁石とすることができる。成形工程Ｓ３は、原料の酸化を防ぐために、不活性ガス（例えば、窒素ガス）雰囲気下において行うことが好ましい。
【００６８】
（４）焼結・熱処理工程Ｓ４
次に、成形した原料を炉に入れ、原料の融点以下の温度（およそ１１００℃〜１２００℃）で焼結を行う。その結果、粉末を押し固めた状態であった原料が一体化し、焼結した部材となる。
その後に、焼結よりも低い温度（おおよそ５００℃〜１０００℃）において熱処理を行い、焼結した部材の機械的特性を向上させる。
なお、焼結・熱処理工程Ｓ４は、原料及び部材の酸化を防ぐために真空下において行う。
【００６９】
（５）仕上げ加工工程Ｓ５
仕上げ加工工程Ｓ５は、焼結及び熱処理を施した部材の寸法を揃え、また、表面を平滑化するための工程である。部材の寸法は、例えば、ダイヤモンド砥石を備える研削機等を用いて揃えることができる。表面の平滑化は、例えば、回転式、遠心式、揺動式等種々のバレル研磨機を用いて行うことができる。
【００７０】
（６）表面処理工程Ｓ６
次に、仕上げ加工を行った部材に、耐腐食性を高めるための表面処理を行い、防錆層を形成する。実施形態１の場合、防錆層は電解めっき法によって形成されたニッケルの層である。
【００７１】
（７）着磁工程Ｓ７
最後に、パルス式着磁機等によって磁場を発生させ、当該磁場中において着磁を行い、永久磁石部１０を完成させる。発生させる磁場の強さは、例えば、３０ｋＯｅ程度である。
【００７２】
このような方法によって、永久磁石部１０を製造することができる。
【００７３】
次に、実施形態１に係る家庭用永久磁石磁気治療器１００における第１ケース部材３０及び第２ケース部材４０の製造方法を簡単に説明する。
【００７４】
（１）第１ケース部材３０の製造方法
まず、チタンからなる原棒を準備する。
次に、原棒を加工し、第１ケース部材３０に対応する寸法及び形状の原部材とする。当該加工は、例えば、切削、研削又はその両方によって行うことができる。切削を行う機械としては、例えば、カム式旋盤、ＮＣ旋盤等を用いることができる。また、研削を行う機械としては、例えば、平面研削盤、円筒研削盤等を用いることができる。
次に、原部材の表面を平滑化するとともに丸め加工を行い、第１ケース部３０とする。表面の平滑化及び丸め加工は、例えば、回転式、遠心式、揺動式等種々のバレル研磨機を用いて行うことができる。
このような方法によって、第１ケース部材３０を製造することができる。
【００７５】
（２）第２ケース部材４０の製造方法
第２ケース部材４０の製造方法は、第２ケース部材４０に対応する寸法及び形状とすることを除けば、第１ケース部材３０の製造方法と基本的に同様である。従って、第２ケース部材４０の製造方法についての説明は省略する。
【００７６】
このような方法によって、第１ケース部材３０及び第２ケース部材４０を製造することができる。
【００７７】
次に、実施形態１に係る家庭用永久磁石磁気治療器１００の組立方法を簡単に説明する。
【００７８】
まず、第１ケース部材３０の内側に永久磁石部１０を配置する。
次に、第１ケース部材３０及び第２ケース部材４０の双方における嵌合箇所を合わせる。
次に、圧力をかけ、第１ケース部材３０と第２ケース部材４０とを嵌合させる。圧力は、機械又は人力によってかけることができる。
【００７９】
このような方法によって、家庭用永久磁石磁気治療器１００の組立を行うことができる。
【００８０】
このような永久磁石部１０の製造方法、第１ケース部材３０及び第２ケース部材４０の製造方法並びに家庭用永久磁石磁気治療器１００の組立方法によって、家庭用永久磁石磁気治療器１００を製造することができる。
【００８１】
次に、実施形態１に係る家庭用永久磁石磁気治療器１００の効果を説明する。
【００８２】
実施形態１に係る家庭用永久磁石磁気治療器１００によれば、保護ケース部２０の厚さｔ１が１．４ｍｍであるため、従来の家庭用永久磁石磁気治療器９００よりも薄くなり、使用時に装着感を損なうことがない。なお、保護ケース部２０の厚さｔ１を１．４ｍｍとするのに伴って、永久磁石部１０の厚さｔ２も０．８ｍｍと薄くなっているが、永久磁石部１０が磁力の強いネオジム−鉄−ホウ素系合金焼結磁石からなるため、十分な磁気治療効果を得ることができる。
また、実施形態１に係る家庭用永久磁石磁気治療器１００によれば、永久磁石部１０が保護ケース部２０の内部の永久磁石部収納部５０に収納されているため、使用時に永久磁石部１０が使用者の皮膚Ｈ表面に直接接触することがなくなり、保護ケース部２０の表面を人体に対する反応性の低い材料で構成することにより、使用者の皮膚等に異常を発生させる可能性を少なくすることが可能となる。なお、実施形態１において、保護ケース部２０の表面は人体に対する反応性が極めて低いチタンから構成されている。
その結果、実施形態１に係る家庭用永久磁石磁気治療器１００は、使用時に装着感を損なうことがなく、かつ、使用者の皮膚等に異常を発生させる可能性が低い家庭用永久磁石磁気治療器となる。
【００８３】
また、実施形態１に係る家庭用永久磁石磁気治療器１００によれば、厚さを０．８ｍｍとすることにより強度が損なわれることがある永久磁石部１０を保護ケース部２０により保護し、十分な強度を有する家庭用永久磁石磁気治療器とすることが可能となる。
【００８４】
また、実施形態１に係る家庭用永久磁石磁気治療器１００によれば、永久磁石部１０の表面にニッケルめっきからなる防錆層が形成されているため、永久磁石部１０の耐食性を向上させることが可能となる。
【００８５】
また、実施形態１に係る家庭用永久磁石磁気治療器１００によれば、保護ケース部２０が、使用時に使用者の皮膚Ｈ表面側に位置することとなる第１ケース部材３０と、使用時に使用者の皮膚Ｈ表面側とは反対側に位置することとなる第２ケース部材４０とを有し、永久磁石部収納部５０は、第１ケース部材３０の内面と第２ケース部材４０の内面とにより形成されているため、永久磁石部収納部５０に永久磁石部１０を収納することが可能な家庭用永久磁石磁気治療器となる。
また、第１ケース部材３０の内面と第２ケース部材４０の内面とが形成する永久磁石部収納部５０に永久磁石部１０を収納する構造を有するため、永久磁石部１０の腐食の原因となりやすい外気、汗等から永久磁石部１０を保護することが可能となる。
また、保護ケース部２０がチタンからなるため、剛性が高い保護ケース部とすることが可能となる。
なお、本発明の家庭用永久磁石磁気治療器においては、保護ケース部１２０が非磁性金属材料であるチタンからなるものであるため、磁気治療効果が損なわれることもない。
【００８６】
また、第１ケース部材３０がチタンからなるため、チタンは人体に対する反応性が極めて低く、使用者の皮膚等に異常を発生させる可能性が極めて低い家庭用永久磁石磁気治療器とすることができる。
【００８７】
また、実施形態１に係る家庭用永久磁石磁気治療器１００においては、保護ケース部２０の角部には、丸め加工及び面取り加工の両方が施されていることが好ましい。
【００８８】
このような構成とすることにより、使用時の装着感及び安全性を向上させることが可能となる。
【００８９】
［実施形態２］
図４は、実施形態２に係る家庭用永久磁石磁気治療器１０２を説明するために示す断面図である。
【００９０】
実施形態２に係る家庭用永久磁石磁気治療器１０２は、基本的には実施形態１に係る家庭用永久磁石磁気治療器１００と同様の構成を有するが、保護ケース部の構成が異なる。すなわち、実施形態２に係る家庭用永久磁石磁気治療器１０２においては、図４に示すように、保護ケース部２２が第１ケース部材３２と第２ケース部材４２との間に挟みこまれるシール部材６０をさらに有する。なお、これに伴って、第１ケース部材３２及び第２ケース部材４２の構成も実施形態１に係る家庭用永久磁石磁気治療器１００における第１ケース部材３０及び第２ケース部材４０の構成とは異なるものとなっており、第１ケース部材３２及び第２ケース部材４２は、ラッチ構造によって固定されている。
シール部材６０は、ブチルゴムからなるＯリングである。
【００９１】
このように、実施形態２に係る家庭用永久磁石磁気治療器１０２は、保護ケース部の構成が実施形態１に係る家庭用永久磁石磁気治療器１００とは異なるが、実施形態１に係る家庭用永久磁石磁気治療器１００の場合と同様に、保護ケース部２２の厚さが１．４ｍｍであり、また、永久磁石部１０が保護ケース部２２の内部の永久磁石部収納部５２に収納されているため、使用時に装着感を損なうことがなく、かつ、使用者の皮膚等に異常を発生させる可能性が低い家庭用永久磁石磁気治療器となる。
【００９２】
また、実施形態２に係る家庭用永久磁石磁気治療器１０２によれば、保護ケース部２２は、第１ケース部材３２と第２ケース部材４２との間に挟みこまれるシール部材６０をさらに有するため、シール部材６０の働きにより保護ケース部２２の内部に外気、汗等が侵入することを防止することが可能となり、より確実に永久磁石部１０を保護することが可能となる。
【００９３】
なお、実施形態２に係る家庭用永久磁石磁気治療器１０２は、保護ケース部の構成以外の点においては、実施形態１に係る家庭用永久磁石磁気治療器１００と同様の構成を有するため、実施形態１に係る家庭用永久磁石磁気治療器１００が有する効果のうち該当する効果をそのまま有する。
【００９４】
［実施形態３］
図５は、実施形態３に係る家庭用永久磁石磁気治療器１０４を説明するために示す図である。図５（ａ）は家庭用永久磁石磁気治療器１０４の断面図であり、図５（ｂ）は図５（ａ）の符号Ｒ１が示す範囲を拡大して表示する部分拡大断面図である。
なお、図５においては、保護コーティング層７０の厚さを誇張して表示している。
【００９５】
実施形態３に係る家庭用永久磁石磁気治療器１０４は、基本的には実施形態１に係る家庭用永久磁石磁気治療器１００と同様の構成を有するが、第１ケース部材及び第２ケース部材の構成が異なる。すなわち、実施形態３に係る家庭用永久磁石磁気治療器１０４においては、図５に示すように、第１ケース部材３４及び第２ケース部材４４が真鍮からなり、また、第１ケース部材３４の外面及び第２ケース部材４４の外面には、金からなる保護コーティング層７０が形成されている。保護コーティング層７０の厚さは２μｍであり、例えば、電解めっき法又は無電解めっき法で形成することができる。
【００９６】
このように、実施形態３に係る家庭用永久磁石磁気治療器１０４は、第１ケース部材及び第２ケース部材の構成が実施形態１に係る家庭用永久磁石磁気治療器１００とは異なるが、実施形態１に係る家庭用永久磁石磁気治療器１００の場合と同様に、保護ケース部２４の厚さが１．４ｍｍであり、また、永久磁石部１０が保護ケース部２４の内部の永久磁石部収納部５４に収納されているため、使用時に装着感を損なうことがなく、かつ、使用者の皮膚等に異常を発生させる可能性が低い家庭用永久磁石磁気治療器となる。
【００９７】
また、実施形態３に係る家庭用永久磁石磁気治療器１０４によれば、第１ケース部材３４の外面及び第２ケース部材４４の外面には、金からなる保護コーティング層７０が形成されているため、磁気治療効果を毀損することなく使用者の皮膚等に異常を発生させる可能性を極めて低くすることができる。また、外気、汗等から第１ケース部材３４及び第２ケース部材４４をともに保護し、耐食性を高めることが可能となる。
また、金が質感に優れる貴金属であることから、高級感のある家庭用永久磁石磁気治療器となる。
【００９８】
なお、実施形態３に係る家庭用永久磁石磁気治療器１０４は、第１ケース部材及び第２ケース部材の構成以外の点においては、実施形態１に係る家庭用永久磁石磁気治療器１００と同様の構成を有するため、実施形態１に係る家庭用永久磁石磁気治療器１００が有する効果のうち該当する効果をそのまま有する。
【００９９】
［実施形態４］
図６は、実施形態４に係る家庭用永久磁石磁気治療器１０６を説明するために示す図である。図６（ａ）は家庭用永久磁石磁気治療器１０６の断面図であり、図６（ｂ）は図６（ａ）の符号Ｒ２が示す範囲を拡大して表示する部分拡大断面図である。
なお、図６においては、保護コーティング層７２の厚さ及び磁性めっき層９０の厚さを誇張して表示している。
【０１００】
実施形態４に係る家庭用永久磁石磁気治療器１０６は、基本的には実施形態３に係る家庭用永久磁石磁気治療器１０４と同様の構成を有するが、第２ケース部材の構成が異なる。すなわち、実施形態４に係る家庭用永久磁石磁気治療器１０６においては、図６に示すように、第２ケース部材４６と、保護コーティング層７２との間には、軟磁性金属材料からなる磁性めっき層９０が形成されている。実施形態４においては、軟磁性金属材料は鉄−ニッケル系合金であるパーマロイである。磁性めっき層９０の厚さは３０μｍであり、例えば、電解めっき法又は無電解めっき法で形成することができる。
【０１０１】
このように、実施形態４に係る家庭用永久磁石磁気治療器１０６は、第２ケース部材の構成が実施形態３に係る家庭用永久磁石磁気治療器１０４とは異なるが、実施形態３に係る家庭用永久磁石磁気治療器１０４の場合と同様に、保護ケース部２６の厚さが１．４ｍｍであり、また、永久磁石部１０が保護ケース部２６の内部の永久磁石部収納部５６に収納されているため、使用時に装着感を損なうことがなく、かつ、使用者の皮膚等に異常を発生させる可能性が低い家庭用永久磁石磁気治療器となる。
【０１０２】
また、実施形態４に係る家庭用永久磁石磁気治療器によれば、第２ケース部材４６と、保護コーティング層７２との間には、軟磁性金属材料からなる磁性めっき層９０が形成されているため、使用時における使用者の皮膚Ｈ表面側以外への磁気を遮蔽することが可能となる。
また、第２ケース部材４６と、保護コーティング層７２との間に磁性めっき層９０が形成されている家庭用永久磁石磁気治療器１０６は、当該磁性めっき層９０によってバックヨーク効果を有するようになり、より強い磁気治療効果を得ることが可能な家庭用永久磁石磁気治療器となる。
また、第２ケース部材４６と保護コーティング層７２との間に磁性めっき層９０が形成されているため、保護コーティング層７２の働きによって、外気、汗等から磁性めっき層９０を保護することができる。
【０１０３】
なお、実施形態４に係る家庭用永久磁石磁気治療器１０６は、第２ケース部材の構成以外の点においては、実施形態３に係る家庭用永久磁石磁気治療器１０４と同様の構成を有するため、実施形態３に係る家庭用永久磁石磁気治療器１０４が有する効果のうち該当する効果をそのまま有する。
【０１０４】
［実施形態５］
図７は、実施形態５に係る家庭用永久磁石磁気治療器１０８を説明するために示す図である。図７（ａ）は家庭用永久磁石磁気治療器１０８の断面図であり、図７（ｂ）は図７（ａ）の符号Ｒ３が示す範囲を拡大して表示する部分拡大断面図である。
なお、図７においては、保護コーティング層７０の厚さ及び磁性めっき層９２の厚さを誇張して表示している。
【０１０５】
実施形態５に係る家庭用永久磁石磁気治療器１０８は、基本的には実施形態３に係る家庭用永久磁石磁気治療器１０４と同様の構成を有するが、第２ケース部材の構成が異なる。すなわち、実施形態５に係る家庭用永久磁石磁気治療器１０８においては、図７に示すように、第２ケース部材４８の内面には、軟磁性金属材料からなる磁性めっき層９２が形成されている。実施形態５においては、軟磁性金属材料は鉄−ニッケル系合金であるパーマロイである。磁性めっき層９２の厚さは３０μｍであり、例えば、電解めっき法又は無電解めっき法で形成することができる。
【０１０６】
このように、実施形態５に係る家庭用永久磁石磁気治療器１０８は、第２ケース部材の構成が実施形態３に係る家庭用永久磁石磁気治療器１０４とは異なるが、実施形態３に係る家庭用永久磁石磁気治療器１０４の場合と同様に、保護ケース部２８の厚さが１．４ｍｍであり、また、永久磁石部１０が保護ケース部２８の内部の永久磁石部収納部５８に収納されているため、使用時に装着感を損なうことがなく、かつ、使用者の皮膚等に異常を発生させる可能性が低い家庭用永久磁石磁気治療器となる。
【０１０７】
また、実施形態５に係る家庭用永久磁石磁気治療器１０８によれば、第２ケース部材４８の内面に軟磁性金属材料からなる磁性めっき層９２が形成されているため、使用時における使用者の皮膚Ｈ表面側以外への磁気を遮蔽することが可能となる。
また、第２ケース部材４８の内面に磁性めっき層９２が形成されている家庭用永久磁石磁気治療器１０８は、当該磁性めっき層９２によってバックヨーク効果を有するようになり、より強い磁気治療効果を得ることが可能な家庭用永久磁石磁気治療器となる。
また、第２ケース部材４８の内面に磁性めっき層９２が形成されているため、外気、汗等から磁性めっき層９２を保護することができる。
【０１０８】
なお、実施形態５に係る家庭用永久磁石磁気治療器１０８は、第２ケース部材の構成以外の点においては、実施形態３に係る家庭用永久磁石磁気治療器１０４と同様の構成を有するため、実施形態３に係る家庭用永久磁石磁気治療器１０４が有する効果のうち該当する効果をそのまま有する。
【０１０９】
［実施形態６］
図８は、実施形態６に係る家庭用永久磁石磁気治療器１１０を説明するために示す図である。図８（ａ）は家庭用永久磁石磁気治療器１１０の上面図であり、図８（ｂ）は図８（ａ）のＡ２−Ａ２断面図である。なお、図８（ａ）においては、内部構造を示すために第２ケース部材４０を図示していない。
【０１１０】
実施形態６に係る家庭用永久磁石磁気治療器１１０は、基本的には実施形態１に係る家庭用永久磁石磁気治療器１００と同様の構成を有するが、永久磁石部の構成が異なる。すなわち、実施形態６に係る家庭用永久磁石磁気治療器１１０においては、図８に示すように、永久磁石部として複数の永久磁石部１２ａ，１２ｂ，１２ｃ，１２ｄを備え、複数の永久磁石部１２ａ，１２ｂ，１２ｃ，１２ｄは、永久磁石部収納部５０に収納されている。
永久磁石部１２ａ，１２ｂ，１２ｃ，１２ｄはいずれも同じ形状をしており、図８（ａ）に示すように、上面から見ると扇型に見える。
図８（ｂ）において、符号ｔ３で示すのは永久磁石部１２ａ，１２ｂ，１２ｃ，１２ｄの厚さである。永久磁石部１２ａ，１２ｂ，１２ｃ，１２ｄの厚さｔ３は、０．８ｍｍである。
【０１１１】
実施形態６に係る家庭用永久磁石磁気治療器１１０における永久磁石部１２ａ，１２ｂ，１２ｃ，１２ｄは、実施形態１に係る家庭用永久磁石磁気治療器１００における永久磁石部１０の製造方法の成形工程Ｓ３に代えて、粉末とした原料を永久磁石部１２ａ，１２ｂ，１２ｃ，１２ｄの形状に相当する金型に入れ、プレス成形を行う成形工程Ｓ８（図示せず。）を行うことによって製造することができる。
【０１１２】
このように、実施形態６に係る家庭用永久磁石磁気治療器１１０は、永久磁石部の構成が実施形態１に係る家庭用永久磁石磁気治療器１００とは異なるが、実施形態１に係る家庭用永久磁石磁気治療器１００の場合と同様に、保護ケース部２０の厚さが１．４ｍｍであり、また、永久磁石部１２ａ，１２ｂ，１２ｃ，１２ｄが保護ケース部２０の内部の永久磁石部収納部５０に収納されているため、使用時に装着感を損なうことがなく、かつ、使用者の皮膚等に異常を発生させる可能性が低い家庭用永久磁石磁気治療器となる。
【０１１３】
また、実施形態６に係る家庭用永久磁石磁気治療器１１０によれば、永久磁石部として、複数の永久磁石部１２ａ，１２ｂ，１２ｃ，１２ｄを備えるため、永久磁石部１２ａ，１２ｂ，１２ｃ，１２ｄの角部においてより強い磁力を得ることができ、単一の永久磁石部を備える場合と比べて、より大きな磁気治療効果を得ることが可能な家庭用永久磁石磁気治療器となる。
【０１１４】
なお、実施形態６に係る家庭用永久磁石磁気治療器１１０は、永久磁石部の構成以外の点においては、実施形態１に係る家庭用永久磁石磁気治療器１００と同様の構成を有するため、実施形態１に係る家庭用永久磁石磁気治療器１００が有する効果のうち該当する効果をそのまま有する。
【０１１５】
［実施形態７］
図９は、実施形態７に係る家庭用永久磁石磁気治療器１１２を説明するために示す断面図である。
【０１１６】
実施形態７に係る家庭用永久磁石磁気治療器１１２は、基本的には実施形態１に係る家庭用永久磁石磁気治療器１００と同様の構成を有するが、永久磁石部の構成が異なる。すなわち、実施形態７に係る家庭用永久磁石磁気治療器１１２においては、図９に示すように、永久磁石部１４は、使用時に使用者の皮膚Ｈ表面側に位置することとなる面に形成された凹部１６を有する。凹部１６の深さは０．３ｍｍ、直径は２．６ｍｍである。なお、本発明の家庭用永久磁石磁気治療器においては、強度を確保するという観点から、凹部の深さが永久磁石部の厚さの３分の２以下であることが好ましい。同様の観点から、凹部の直径が永久磁石部の直径の３分の２以下であることが好ましい。
図９において、符号ｔ４で示すのは永久磁石部１４の厚さである。永久磁石部１４の厚さｔ４は、０．８ｍｍである。
【０１１７】
実施形態７に係る家庭用永久磁石磁気治療器１１２は、実施形態１に係る家庭用永久磁石磁気治療器１００の製造方法における成形工程Ｓ３に代えて、粉末とした原料を永久磁石部１４の形状に相当する金型に入れ、プレス成形を行う成形工程Ｓ９（図示せず。）を行うことによって製造することができる。
【０１１８】
このように、実施形態７に係る家庭用永久磁石磁気治療器１１２は、永久磁石部の構成が実施形態１に係る家庭用永久磁石磁気治療器１００とは異なるが、実施形態１に係る家庭用永久磁石磁気治療器１００の場合と同様に、保護ケース部２０の厚さが１．４ｍｍであり、また、永久磁石部１４が保護ケース部２０の内部の永久磁石部収納部５０に収納されているため、使用時に装着感を損なうことがなく、かつ、使用者の皮膚等に異常を発生させる可能性が低い家庭用永久磁石磁気治療器となる。
【０１１９】
また、実施形態７に係る家庭用永久磁石磁気治療器１１２によれば、永久磁石部１４が使用時に使用者の皮膚Ｈ表面側に位置することとなる面に形成された凹部１６を有するため、凹部１６の辺縁においてより強い磁力を得ることができ、凹部１６の辺縁において、より大きな磁気治療効果を得ることが可能な家庭用永久磁石磁気治療器となる。
【０１２０】
なお、実施形態７に係る家庭用永久磁石磁気治療器１１２は、永久磁石部の構成以外の点においては、実施形態１に係る家庭用永久磁石磁気治療器１００と同様の構成を有するため、実施形態１に係る家庭用永久磁石磁気治療器１００が有する効果のうち該当する効果をそのまま有する。
【０１２１】
［実施形態８］
図１０は、実施形態８に係る家庭用永久磁石磁気治療器２００の使用時における態様を説明するために示す断面図である。
図１１は、実施形態８に係る家庭用永久磁石磁気治療器２００を説明するために示す図である。図１１（ａ）は家庭用永久磁石磁気治療器２００を示す上面図であり、図１１（ｂ）は図１１（ａ）のＡ３−Ａ３断面図である。
【０１２２】
実施形態８に係る家庭用永久磁石磁気治療器２００は、基本的には実施形態１に係る家庭用永久磁石磁気治療器１００と同様の構成を有するが、保護ケース部及び永久磁石部の構成が異なる。以下、詳細を説明する。
【０１２３】
実施形態８に係る家庭用永久磁石磁気治療器２００の使用時には、図１０に示すように、絆創膏５００により家庭用永久磁石磁気治療器２００を使用者の皮膚Ｈ表面に貼り付けて用いる。絆創膏５００は、実施形態１に係る家庭用永久磁石磁気治療器１００を貼り付けるのに用いる絆創膏５００と同一の構成を有するため、説明を省略する。
【０１２４】
実施形態８に係る家庭用永久磁石磁気治療器２００は、図１０及び図１１に示すように、円盤状の保護ケース部１２０と、円盤状の永久磁石部１８とを備える。
保護ケース部１２０は、内部に永久磁石部収納部１３０を有し、厚さが１．５ｍｍ、直径が４ｍｍである。なお、図１１（ｂ）において、符号ｔ５で示すのは保護ケース部１２０の厚さである。
【０１２５】
保護ケース部１２０は、非磁性金属材料であるチタンからなる。また、保護ケース部１２０は、使用時に使用者の皮膚Ｈ表面側とは反対側に位置することとなる面に形成された永久磁石部挿入孔１４０を有し、永久磁石部挿入孔１４０の一部が、永久磁石部収納部１３０となる。
保護ケース部１２０の角部には、丸め加工及び面取り加工の両方が施されている。
また、保護ケース部１２０の、使用時に永久磁石部１８の使用者の皮膚Ｈ表面側と向かい合う面（底面）の厚さは０．２５ｍｍである。
【０１２６】
永久磁石部挿入孔１４０は、深さが１．２５ｍｍ、直径が１．９８ｍｍである。また、永久磁石部挿入孔１４０の開口部には、０．１ｍｍの面取り加工が施されている。実施形態８においては、図１１（ｂ）に示すように、永久磁石部挿入孔１４０の底面側が永久磁石部収納部１３０となっている。
【０１２７】
永久磁石部１８は、図１０及び図１１に示すように、永久磁石部収納部１３０に収納されている。永久磁石部１８は、嵌合によって保護ケース部１２０に固定されている。なお、本発明はこれに限られるものではなく、永久磁石部が、接着剤等によって保護ケース部に固定されていてもよい。
また、永久磁石部１８は、厚さが１ｍｍ、直径が２ｍｍであり、ネオジム−鉄−ホウ素系合金焼結磁石からなる。なお、図１１（ｂ）において、符号ｔ６で示すのは永久磁石部１８の厚さである。
図示による詳しい説明は省略するが、永久磁石部１８の表面には、ニッケルめっきからなる防錆層が形成されている。
なお、永久磁石部１８は、家庭用永久磁石磁気治療器２００を使用するときに、使用者の皮膚Ｈ表面側における磁束密度が１８０ｍＴ程度となるように構成されている。
【０１２８】
次に、家庭用永久磁石磁気治療器２００の製造方法を説明する。
【０１２９】
実施形態８に係る家庭用永久磁石磁気治療器２００における永久磁石部１８の製造方法は、製造する永久磁石部１８の寸法以外の点については実施形態１に係る家庭用永久磁石磁気治療器１００における永久磁石部１０の製造方法と基本的に同様である。従って、永久磁石部１８の製造方法についての説明は省略する。
【０１３０】
実施形態８に係る家庭用永久磁石磁気治療器２００における保護ケース部１２０の製造方法は、保護ケース部材１２０に対応する寸法及び形状とすることを除けば、実施形態１に係る家庭用永久磁石磁気治療器１００における第１ケース部材３０の製造方法と基本的に同様である。従って、保護ケース部１２０の製造方法についての説明は省略する。
【０１３１】
以下に、実施形態８に係る家庭用永久磁石磁気治療器２００の組立方法を簡単に説明する。
【０１３２】
まず、保護ケース部１２０における永久磁石部挿入孔１４０の開口部上に永久磁石部１８を配置する。
次に、圧力をかけ、永久磁石部挿入孔１４０に永久磁石部１８を挿入することにより、保護ケース部１２０の永久磁石部収納部１３０に永久磁石部１８を収納する。圧力は、機械又は人力によってかけることができる。
【０１３３】
以上のような方法によって、家庭用永久磁石磁気治療器２００の組立を行うことができる。
【０１３４】
上記したような永久磁石部１８の製造方法、保護ケース部１２０の製造方法並びに家庭用永久磁石磁気治療器２００の組立方法によって、家庭用永久磁石磁気治療器２００を製造することができる。
【０１３５】
次に、実施形態８に係る家庭用永久磁石磁気治療器２００の効果を説明する。
【０１３６】
上記したように、実施形態８に係る家庭用永久磁石磁気治療器２００は、保護ケース部及び永久磁石部の構成が実施形態１に係る家庭用永久磁石磁気治療器１００とは異なるが、実施形態１に係る家庭用永久磁石磁気治療器１００の場合と同様に、保護ケース部１２０の厚さが１．５ｍｍであり、また、永久磁石部１８が保護ケース部１２０の内部の永久磁石部収納部１３０に収納されているため、使用時に装着感を損なうことがなく、かつ、使用者の皮膚等に異常を発生させる可能性が低い家庭用永久磁石磁気治療器となる。
【０１３７】
また、実施形態８に係る家庭用永久磁石磁気治療器２００によれば、使用時に使用者の皮膚Ｈ表面側とは反対側に位置することとなる面に形成された永久磁石部挿入孔１４０を有し、永久磁石部挿入孔１４０の一部が、永久磁石部収納部１３０となるため、永久磁石部収納部１４０に永久磁石部１８を収納することが可能な家庭用永久磁石磁気治療器となる。
また、永久磁石部挿入孔１４０が使用時に使用者の皮膚Ｈ表面側とは反対側に位置することとなる面に形成されているため、永久磁石部１８の腐食の原因となりやすい汗等から永久磁石部１８を保護することが可能となる。
また、保護ケース部１２０がチタンからなるとともに、保護ケース部１２０が単一の部材から構成されることから、剛性が高い保護ケース部とすることが可能となる。
なお、本発明の家庭用永久磁石磁気治療器においては、保護ケース部１２０が非磁性金属材料であるチタンからなるものであるため、磁気治療効果が損なわれることもない。
【０１３８】
なお、実施形態８に係る家庭用永久磁石磁気治療器２００は、保護ケース部及び永久磁石部の構成以外の点においては、実施形態１に係る家庭用永久磁石磁気治療器１００と同様の構成を有するため、実施形態１に係る家庭用永久磁石磁気治療器１００が有する効果のうち該当する効果をそのまま有する。
【０１３９】
［実施形態９］
図１２は、実施形態９に係る家庭用永久磁石磁気治療器２０２を説明するために示す図である。図１２（ａ）は家庭用永久磁石磁気治療器２０２の断面図であり、図１２（ｂ）は図１２（ａ）の符号Ｒ３が示す範囲を拡大して表示する部分拡大断面図である。
なお、図１２においては、保護コーティング層１５０の厚さを誇張して表示している。
【０１４０】
実施形態９に係る家庭用永久磁石磁気治療器２０２は、基本的には実施形態８に係る家庭用永久磁石磁気治療器２００と同様の構成を有するが、保護ケース部の構成が異なる。すなわち、実施形態９に係る家庭用永久磁石磁気治療器２０２においては、図１２に示すように、保護ケース部１２２が真鍮からなり、保護ケース部１２２の表面には、金からなる保護コーティング層が形成されている。保護コーティング層１５０の厚さは２μｍであり、例えば、電解めっき法又は無電解めっき法で形成することができる。
【０１４１】
このように、実施形態９に係る家庭用永久磁石磁気治療器２０２は、保護ケース部の構成が実施形態８に係る家庭用永久磁石磁気治療器２００とは異なるが、実施形態８に係る家庭用永久磁石磁気治療器２００の場合と同様に、保護ケース部１２２の厚さが１．５ｍｍであり、また、永久磁石部１８が保護ケース部１２２の内部の永久磁石部収納部１３２に収納されているため、使用時に装着感を損なうことがなく、かつ、使用者の皮膚等に異常を発生させる可能性が低い家庭用永久磁石磁気治療器となる。
【０１４２】
また、実施形態９に係る家庭用永久磁石磁気治療器２０２によれば、保護ケース部１２２の表面には、金からなる保護コーティング層１５０が形成されているため、磁気治療効果を毀損することなく使用者の皮膚等に異常を発生させる可能性を極めて低くすることができる。また、外気、汗等から保護ケース部１２２を保護し、耐食性を高めることが可能となる。
また、金が質感に優れる貴金属であることから、高級感のある家庭用永久磁石磁気治療器となる。
【０１４３】
なお、実施形態９に係る家庭用永久磁石磁気治療器２０２は、保護ケース部材の構成以外の点においては、実施形態８に係る家庭用永久磁石磁気治療器２００と同様の構成を有するため、実施形態８に係る家庭用永久磁石磁気治療器２００が有する効果のうち該当する効果をそのまま有する。
【０１４４】
［実施形態１０］
図１３は、実施形態１０に係る家庭用永久磁石磁気治療器３００の使用時における態様を説明するために示す断面図である。
図１４は、実施形態１０に係る家庭用永久磁石磁気治療器３００を説明するために示す図である。図１４（ａ）は家庭用永久磁石磁気治療器３００を示す上面図であり、図１４（ｂ）は図１４（ａ）のＡ４−Ａ４断面図である。
【０１４５】
実施形態１０に係る家庭用永久磁石磁気治療器３００は、基本的には実施形態１に係る家庭用永久磁石磁気治療器１００と同様の構成を有するが、保護ケース部及び永久磁石部の構成が異なる。以下、詳細を説明する。
【０１４６】
実施形態１０に係る家庭用永久磁石磁気治療器３００の使用時には、図１３に示すように、絆創膏５００により家庭用永久磁石磁気治療器３００を使用者の皮膚Ｈ表面に貼り付けて用いる。絆創膏５００は、実施形態１に係る家庭用永久磁石磁気治療器１００を貼り付けるのに用いる絆創膏５００と同一の構成を有するため、説明を省略する。
【０１４７】
実施形態１０に係る家庭用永久磁石磁気治療器３００は、図１３及び図１４に示すように、円盤状の保護ケース部２２０と、円盤状の永久磁石部１８とを備える。
保護ケース部２２０は、内部に永久磁石部収納部２３０を有し、厚さが１．５ｍｍ、直径が４ｍｍである。なお、図１４（ｂ）において、符号ｔ７で示すのは保護ケース部２２０の厚さである。
【０１４８】
保護ケース部２２０は、樹脂であるポリプロピレンからなる。また、保護ケース部２２０は、使用時に使用者の皮膚Ｈ表面側とは反対側に位置することとなる面に形成された永久磁石部挿入孔２４０を有し、永久磁石部挿入孔２４０の一部が、永久磁石部収納部２３０となる。
保護ケース部２２０の角部には、丸め加工及び面取り加工の両方が施されている。
また、保護ケース部２２０の底面の厚さは０．２５ｍｍである。
【０１４９】
永久磁石部挿入孔２４０は、深さが１．２５ｍｍ、直径が１．９６ｍｍである。また、永久磁石部挿入孔２４０の開口部には、０．１ｍｍの面取り加工が施されている。実施形態１０においては、図１４（ｂ）に示すように、永久磁石部挿入孔２４０の底面側が永久磁石部収納部２３０となっている。
【０１５０】
永久磁石部１８は、図１３及び図１４に示すように、永久磁石部収納部２３０に収納されている。永久磁石部１８は、嵌合によって保護ケース部２２０に固定されている。なお、本発明はこれに限られるものではなく、永久磁石部が、接着剤等によって保護ケース部に固定されていてもよい。
また、永久磁石部１８は、厚さが１ｍｍ、直径が２ｍｍであり、ネオジム−鉄−ホウ素系合金焼結磁石からなる。なお、図１４（ｂ）において、符号ｔ８で示すのは永久磁石部１８の厚さである。
図示による詳しい説明は省略するが、永久磁石部１８の表面には、ニッケルめっきからなる防錆層が形成されている。
なお、永久磁石部１８は、家庭用永久磁石磁気治療器３００を使用するときに、使用者の皮膚Ｈ表面側における磁束密度が１８０ｍＴ程度となるように構成されている。
【０１５１】
次に、家庭用永久磁石磁気治療器３００の製造方法を説明する。
【０１５２】
実施形態１０に係る家庭用永久磁石磁気治療器３００における永久磁石部１８の製造方法は、製造する永久磁石部１８の寸法以外の点については実施形態１に係る家庭用永久磁石磁気治療器１００における永久磁石部１０の製造方法と基本的に同様である。従って、永久磁石部１８の製造方法についての説明は省略する。
【０１５３】
以下に、実施形態１０に係る家庭用永久磁石磁気治療器３００における保護ケース部２２０の製造方法を簡単に説明する。
まず、ポリプロピレンを溶融させる。
次に、保護ケース部２２０に対応する形状の金属型に、溶融したポリプロピレンを高圧で射出して成型する。
次に、圧力をかけたまま冷却し、成型したポリプロピレンを取り出す。
次に、成型したポリプロピレンに付随するゲート跡等を除去し、保護ケース部２２０とする。
【０１５４】
以上のような方法によって、保護ケース部２２０を製造することができる。
【０１５５】
以下に、実施形態１０に係る家庭用永久磁石磁気治療器３００の組立方法を簡単に説明する。
【０１５６】
まず、保護ケース部２２０における永久磁石部挿入孔２４０の開口部上に永久磁石部１８を配置する。
次に、圧力をかけ、永久磁石部挿入孔２４０に永久磁石部１８を挿入することにより、保護ケース部２２０の永久磁石部収納部２３０に永久磁石部１８を収納する。圧力は、機械又は人力によってかけることができる。
【０１５７】
以上のような方法によって、家庭用永久磁石磁気治療器３００の組立を行うことができる。
【０１５８】
上記したような永久磁石部１８の製造方法、保護ケース部２２０の製造方法並びに家庭用永久磁石磁気治療器３００の組立方法によって、家庭用永久磁石磁気治療器３００を製造することができる。
【０１５９】
次に、実施形態１０に係る家庭用永久磁石磁気治療器３００の効果を説明する。
【０１６０】
上記したように、実施形態１０に係る家庭用永久磁石磁気治療器３００は、保護ケース部及び永久磁石部の構成が実施形態１に係る家庭用永久磁石磁気治療器１００とは異なるが、実施形態１に係る家庭用永久磁石磁気治療器１００の場合と同様に、保護ケース部２２０の厚さが１．５ｍｍであり、また、永久磁石部１８が保護ケース部２２０の内部の永久磁石部収納部２３０に収納されているため、使用時に装着感を損なうことがなく、かつ、使用者の皮膚等に異常を発生させる可能性が低い家庭用永久磁石磁気治療器となる。
【０１６１】
また、実施形態１０に係る家庭用永久磁石磁気治療器３００によれば、使用時に使用者の皮膚Ｈ表面側とは反対側に位置することとなる面に形成された永久磁石部挿入孔２４０を有し、永久磁石部挿入孔２４０の一部が、永久磁石部収納部２３０となるため、保護ケース部２４０の内部に永久磁石部１８を収納することが可能な家庭用永久磁石磁気治療器となる。
また、永久磁石部挿入孔２４０が使用時に使用者の皮膚Ｈ表面側とは反対側に位置することとなる面に形成されているため、永久磁石部１８の腐食の原因となりやすい汗等から永久磁石部１８を保護することが可能となる。
また、保護ケース部２２０が樹脂からなるため、製造が比較的容易な保護ケース部とすることが可能となる。
なお、本発明の家庭用永久磁石磁気治療器においては、保護ケース部２２０が樹脂であるポリプロピレンからなるが、ポリプロピレンは非磁性材料であるため、磁気治療効果が損なわれることもない。
【０１６２】
なお、実施形態１０に係る家庭用永久磁石磁気治療器３００は、保護ケース部及び永久磁石部の構成以外の点においては、実施形態１に係る家庭用永久磁石磁気治療器１００と同様の構成を有するため、実施形態１に係る家庭用永久磁石磁気治療器１００が有する効果のうち該当する効果をそのまま有する。
【０１６３】
［実施例１〜３］
以下の実施例１〜３は、本発明の家庭用永久磁石磁気治療器の磁束密度を測定した例を示す実施例である。実施例１〜３において、磁束密度の測定は、ＬａｋｅＳｈｏｒｅ社の４１０  Ｇａｕｓｓｍｅｔｅｒを用いて行った。
【０１６４】
実施例１においては、保護コーティング層の下層にニッケルからなる下地めっき層（厚さ０．５μｍ）を設けた点及び永久磁石部の直径が４ｍｍである点以外は実施形態３に係る家庭用永久磁石磁気治療器１０４と同様の構成を有する家庭用永久磁石磁気治療器（図示せず。以下、実施例１に係る家庭用永久磁石磁気治療器１１４という。）を１０００個製造し、その中から無作為に選んだ１０個について磁束密度を測定した。その結果、実施例１に係る家庭用永久磁石磁気治療器１１４においては、第１ケース部材の底面表面における磁束密度の平均値は１７６．３ｍＴであり、第２ケース部材の天面表面における磁束密度の平均値は１７６．０ｍＴであった。
【０１６５】
実施例２においては、保護コーティング層の下層にニッケルからなる下地めっき層（厚さ０．５μｍ）を設けた点及び永久磁石部の直径が４ｍｍである点以外は実施形態４に係る家庭用永久磁石磁気治療器１０６と同様の構成を有する家庭用永久磁石磁気治療器（図示せず。以下、実施例２に係る家庭用永久磁石磁気治療器１１６という。）を１０００個製造し、その中から無作為に選んだ１０個について磁束密度を測定した。その結果、実施例２に係る家庭用永久磁石磁気治療器１１６においては、第１ケース部材の底面表面における磁束密度の平均値は１７８．８ｍＴであり、第２ケース部材の天面表面における磁束密度の平均値は１６９．６ｍＴであった。
【０１６６】
実施例３においては、保護コーティング層の下層にニッケルからなる下地めっき層（厚さ０．５μｍ）を設けた点以外は実施形態９に係る家庭用永久磁石磁気治療器２０２と同様の構成を有する家庭用永久磁石磁気治療器（図示せず。以下、実施例３に係る家庭用永久磁石磁気治療器２１２という。）を１０００個製造し、その中から無作為に選んだ１０個について磁束密度を測定した。その結果、実施例３に係る家庭用永久磁石磁気治療器２１２においては、保護ケース部の底面表面における磁束密度の平均値は１７７．８ｍＴであった。
【０１６７】
これらの結果、実施例１〜３からは、家庭用永久磁石磁気治療器の厚さを１．４ｍｍ又は１．５ｍｍと薄くしたとしても、使用時に、使用者の皮膚表面において十分な磁力を確保することが可能となることが確認できた。また、実施例２からは、磁性めっき層を形成したことにより、使用時に、使用者の皮膚表面側とは反対側への磁気を遮蔽することが可能となることが確認できた。
【０１６８】
以上、本発明を上記の実施形態及び実施例に基づいて説明したが、本発明は上記の実施形態に限定されるものではない。その要旨を逸脱しない範囲において種々の様態において実施することが可能であり、例えば、次のような変形も可能である。
【０１６９】
（１）上記各実施形態における永久磁石部、保護ケース部等の形状及び寸法は一例であり、本発明はこれに限定されるものではない。
【０１７０】
（２）上記実施形態１〜７においては、永久磁石部の厚さが０．８ｍｍであり、上記実施形態８〜１０においては、永久磁石部１８の厚さが１ｍｍであるが、本発明はこれに限定されるものではない。永久磁石部の厚さは、０．３ｍｍ〜１．２ｍｍの範囲内であってもよい。
【０１７１】
（３）上記実施形態１〜７においては、保護ケース部の厚さが１．４ｍｍであり、上記実施形態８〜１０においては、保護ケース部の厚さが１．５ｍｍであったが、本発明はこれに限定されるものではない。保護ケース部の厚さは、０．５ｍｍ〜１．５５ｍｍの範囲内であってもよい。
【０１７２】
（４）上記実施形態１〜５，７においては、永久磁石部の直径が８ｍｍであったが、本発明はこれに限定されるものではない。例えば、永久磁石部の直径が４ｍｍや６ｍｍ等であってもよい。要するに、永久磁石部の直径は、永久磁石部収納部に納まる大きさであればよい。
【０１７３】
（５）上記実施形態１，２，６，７においては、第１ケース部材及び第２ケース部材がチタンからなるものであり、上記実施形態３〜５においては、第１ケース部材及び第２ケース部材が真鍮からなるものであるが、本発明はこれに限定されるものではない。第１ケース部材及び第２ケース部材が、例えば、銅、チタン合金、アルミニウム、アルミニウム合金、マグネシウム、マグネシウム合金、亜鉛、亜鉛合金、非磁性鋼、貴金属、貴金属を主成分とする合金、真鍮以外の銅合金等の他の非磁性金属材料からなるものであってもよい。
【０１７４】
（６）上記実施形態１，２，６，７においては、第２ケース部材がチタンからなるものであり、上記実施形態３〜５においては、第２ケース部材が真鍮からなるものであるが、本発明はこれに限定されるものではない。第２ケース部材が、例えば、鉄、鉄系合金又は磁性鋼等の軟磁性金属材料からなるものであってもよい。このような構成とすることにより、使用時における使用者の皮膚表面側以外への磁気を遮蔽することが可能となる。また、軟磁性金属材料からなる第２ケース部材を備える家庭用永久磁石磁気治療器は、当該第２ケース部材によってバックヨーク効果を有するようになり、より強い磁気治療効果を得ることが可能な家庭用永久磁石磁気治療器となる。
【０１７５】
（７）上記各実施形態においては、永久磁石部の表面にはニッケルからなる防錆層が形成されているが、本発明はこれに限定されるものではない。例えば、種々の樹脂からなる防錆層や、貴金属からなる防錆層等が形成されていてもよい。
【０１７６】
（８）上記各実施形態においては、保護ケース部の角部に丸め加工及び面取り加工の両方が施されているが、本発明はこれに限定されるものではない。例えば、丸め加工及び面取り加工のみが施されていてもよい。このような構成とすることによっても、使用時の装着感及び安全性を向上させることが可能となる。
【０１７７】
（９）上記実施形態２においては、シール部材６０がブチルゴムからなるＯリングであるが、本発明はこれに限定されるものではない。シール部材は、例えば、樹脂又はゴムからなるシート及び接着剤や、樹脂からなるＯリング等であってもよい。
【０１７８】
（１０）上記実施形態２においては、第１ケース部材３２及び第２ケース部材４２がラッチ構造によって固定されているが、本発明はこれに限定されるものではない。例えば、嵌合や接着剤等によって固定されていてもよい。
【０１７９】
（１１）上記実施形態３〜５，９においては、保護コーティング層は金からなるものであるが、本発明はこれに限定されるものではない。例えば、白金、ロジウム又はパラジウムからなるものであってもよい。また、金、白金、ロジウム又はパラジウムのうちいずれかを主成分とする合金又は混合物からなるものであってもよい。
【０１８０】
（１２）上記実施形態３〜５においては、第１ケース部材及び第２ケース部材と、保護コーティング層との間には、ニッケル、パラジウム又はニッケル−パラジウム合金からなる下地めっき層を有することとしてもよい。このような構成とすることにより、保護コーティング層の密着性、緻密性、めっき付き回り性及び安定性を向上させ、保護コーティング層の耐食性をさらに向上させることが可能となる。
【０１８１】
（１３）上記実施形態９においても、保護ケース部と、保護コーティング層との間には、ニッケル、パラジウム又はニッケル−パラジウム合金からなる下地めっき層を有することとしてもよい。このような構成とすることによって、保護コーティング層の密着性、緻密性、めっき付き回り性及び安定性を向上させ、保護コーティング層の耐食性をさらに向上させることが可能となる。
【０１８２】
（１４）上記実施形態３〜５においては、第１ケース部材の外面及び第２ケース部材の外面に保護コーティング層が形成されているが、本発明はこれに限定されるものではない。第１ケース部材及び第２ケース部材の内面にも保護コーティング層が形成されていてもよい。
【０１８３】
（１５）上記実施形態３〜５においては、第１ケース部材の外面及び第２ケース部材の外面に保護コーティング層が形成されているが、本発明はこれに限定されるものではない。第１ケース部材の外面のみ又は第２ケース部材の外面のみに保護コーティング層が形成されていてもよい。
【０１８４】
（１６）上記実施形態３〜５，９においては、保護コーティング層が金のみからなるものであるが、本発明はこれに限定されるものではない。本発明の家庭用永久磁石磁気治療器においては、保護コーティング層がゲルマニウム、ラジウム又はトルマリンを含有するものであってもよい。このような構成とすることにより、磁気治療効果に加えて、ゲルマニウム、ラジウム又はトルマリンが有する効果（例えば、新陳代謝の活性化、血流促進、温熱効果等）を得ることができる。
【０１８５】
（１７）ゲルマニウム、ラジウム又はトルマリンを微粒子として含有させる場合には、ゲルマニウム微粒子、ラジウム微粒子又はトルマリン微粒子を、金、白金、ロジウム又はパラジウムを主成分とするめっきに含有させた複合めっきにより保護コーティング層を構成することができる。このような構成とすることにより、上記する微粒子を含有した保護コーティング層を簡易に形成することが可能となる。なお、複合めっきとは、微粒子をめっき中に共析させたものをいい、共析めっきともいう。
【０１８６】
（１８）また、ゲルマニウムを合金として含有させる場合には、金、白金、ロジウム又はパラジウムを主成分とし、ゲルマニウムを含有する合金からなる合金めっきにより保護コーティング層を構成することができる。このような構成とすることにより、ゲルマニウムを含有した保護コーティング層を簡易に形成することが可能となる。
【０１８７】
（１９）上記実施形態４及び５においては、磁気シールド層がパーマロイからなるものであるが、本発明はこれに限定されるものではない。例えば、磁気シールド層が鉄、ニッケル、パーマロイ以外の鉄系合金等からなるものであってもよい。要するに、薄膜を形成可能な軟磁性金属材料であればよい。
【０１８８】
（２０）上記実施形態４においては、第２ケース部材４６と保護コーティング層７２との間のみに磁性めっき層９０が形成され、上記実施形態５においては、第２ケース部材４８の内面のみに磁性めっき層９２が形成されていたが、本発明はこれに限定されるものではない。第２ケース部材と保護コーティング層との間と、第２ケース部材の内面との両方に磁性めっき層が形成されていてもよい。このような構成とすることにより、使用時における使用者の皮膚表面側以外への磁気をより確実に遮蔽することが可能となる。
【０１８９】
（２１）本発明の家庭用永久磁石磁気治療器においては、第１ケース部材と第２ケース部材とを容易に判別することを可能とするための工夫がなされていてもよい。具体的には、第１ケース部材の色と第２ケース部材の色とを異ならせることや、第１ケース部材又は第２ケース部材の一方のみに凸部又は凹部を設けることを例示することができる。
【０１９０】
（２２）上記実施形態６においては、永久磁石部１２ａ，１２ｂ，１２ｃ，１２ｄはいずれも同じ形状をしているが、本発明はこれに限定されるものではない。複数の永久磁石部がそれぞれ異なる形状をしていてもよい。
【０１９１】
（２３）上記実施形態６においては、永久磁石部の数は４つであったが、本発明はこれに限定されるものではない。２つや３つであってもよいし、５つ以上であってもよい。
【０１９２】
（２４）上記実施形態１〜５，７〜１０においては、永久磁石部は円盤状であり、上記実施形態６においては、永久磁石部１２ａ，１２ｂ，１２ｃ，１２ｄは上面から見ると扇型に見える形状であったが、本発明はこれに限られるものではない。要するに、永久磁石部収納部に収納可能な形状であればよい。
【０１９３】
（２５）上記実施形態７においては、永久磁石部１４が凹部１６を有するが、本発明はこれに限定されるものではない。例えば、永久磁石部が凹部を複数有してもよい。
【０１９４】
（２６）上記実施形態７においては、永久磁石部１４が凹部１６を有するが、本発明はこれに限定されるものではない。永久磁石部が、使用時に使用者の皮膚表面側に位置することとなる面から他の面へ貫通するように形成された貫通孔を有してもよい。なお、永久磁石部は、単一の貫通孔を有してもよいし、複数の貫通孔を有してもよい。
【０１９５】
（２７）上記実施形態８〜１０においても、永久磁石部が、使用時に使用者の皮膚表面側に位置することとなる面に形成された凹部又は使用時に使用者の皮膚表面側に位置することとなる面から他の面へ貫通するように形成された貫通孔を有してもよい。このような構成とすることによっても、凹部又は貫通孔の辺縁において、より大きな磁気治療効果を得ることが可能な家庭用永久磁石磁気治療器となる。
【０１９６】
（２８）上記実施形態８においては、保護ケース部がチタンからなるものであり、上記実施形態９においては、保護ケース部が真鍮からなるものであるが、本発明はこれに限定されるものではない。保護ケース部は、例えば、銅、チタン合金、アルミニウム、アルミニウム合金、マグネシウム、マグネシウム合金、亜鉛、亜鉛合金、非磁性鋼、貴金属、貴金属を主成分とする合金、真鍮以外の銅合金等の他の非磁性金属材料からなるものであってもよい。
【０１９７】
（２９）上記実施形態１〜９においては、家庭用永久磁石磁気治療器の表面に、含侵による封孔処理が施されていてもよい。このような構成とすることにより、保護ケース部の表面等に存在することがある微細な孔やクラックを樹脂によって塞ぎ、より安全性が高く、また、より耐食性が高い家庭用永久磁石磁気治療器とすることが可能となる。
【０１９８】
（３０）上記実施形態１０においては、保護ケース部２２０はポリプロピレンからなるものであるが、本発明はこれに限定されるものではない。要するに、安定であり、人体に対する反応性が低い樹脂からなるものであればよい。例えば、ＡＢＳ（アクリロニトリル−ブタジエン−スチレン）樹脂、ポリ塩化ビニル等からなるものであってもよい。
【０１９９】
（３１）上記実施形態１０においては、保護ケース部が樹脂中にゲルマニウム、ラジウム又はトルマリンを含有してもよい。このような構成とすることにより、磁気治療効果に加えて、ゲルマニウム、ラジウム又はトルマリンが有する効果（例えば、新陳代謝の活性化、血流促進、温熱効果等）を得ることができる。なお、保護ケース部は、ゲルマニウム、ラジウム又はトルマリンを、微粒子状、薄片状、粒状等種々の形態で含有することができる。
【０２００】
（３２）上記実施形態８〜１０においては、家庭用永久磁石磁気治療器が、永久磁石部挿入孔の開口部を塞ぐ閉塞部材をさらに備えていてもよい。このような構成とすることにより、永久磁石部が表面に露出しないようにすることが可能となり、より安全性の高い家庭用永久磁石磁気治療器となる。また、永久磁石部を外気、汗等からより確実に保護することが可能となる。閉塞部材の具体例としては、金属、樹脂及び接着剤を挙げることができる。
【０２０１】
（３３）上記各実施形態において説明した永久磁石部の製造方法は一例であり、本発明の家庭用永久磁石磁気治療器に使用される永久磁石部は、この方法で製造された永久磁石部に限定されるものではない。
【０２０２】
（３４）上記実施形態１において説明した第１ケース部材３０及び第２ケース部材４０の製造方法は一例であり、本発明の家庭用永久磁石磁気治療器に使用される第１ケース部材及び第２ケース部材は、この方法で製造された第１ケース部材及び第２ケース部材に限定されるものではない。
【０２０３】
（３５）上記実施形態８及び１０において説明した保護ケース部の製造方法は一例であり、本発明の家庭用永久磁石磁気治療器に使用される保護ケース部は、この方法で製造された保護ケース部に限定されるものではない。
【０２０４】
（３６）上記実施形態１，８，１０において説明した家庭用永久磁石磁気治療器の組立方法は一例であり、本発明の家庭用永久磁石磁気治療器は、この方法で組立された家庭用永久磁石磁気治療器に限定されるものではない。
【０２０５】
（３７）上記実施形態１において説明した第１ケース部材３０及び第２ケース部材４０の製造方法においては、原棒から第１ケース部材３０及び第２ケース部材４０を製造したが、本発明はこれに限定されるものではない。例えば、原板から第１ケース部材及び第２ケース部材を製造することもできる。原板の加工には、切削及び研削の他にプレスによって行うこともでき、プレスを行う機械としては、液圧式又は機械式のプレス機を用いることができる。
【０２０６】
（３８）上記各実施形態においては、家庭用永久磁石磁気治療器は絆創膏５００によって使用者の皮膚表面に貼り付けることとしたが、本発明はこれに限定されるものではない。パッチ、シール等、種々の貼り付け部材によって使用者の皮膚表面に貼り付けることとしてもよい。
【０２０７】
（３９）本発明の家庭用永久磁石磁気治療器は、永久磁石部を基準として使用時に使用者の皮膚表面側とは反対側に位置することとなる、磁気シールド板をさらに備えていてもよい。磁気シールド板は軟磁性金属材料からなる薄板である。このような構成とすることにより、使用時における使用者の皮膚表面側以外への磁気を遮蔽することが可能となる。また、磁気シールド板を備える家庭用永久磁石磁気治療器は、当該磁気シールド板によってバックヨーク効果を有するようになり、より強い磁気治療効果を得ることが可能な家庭用永久磁石磁気治療器となる。磁気シールド板の厚さは、装着感を損なわないようにするという観点からは０．２ｍｍ以下であることが好ましい。また、磁気シールド板の厚さは、磁気を確実に遮蔽するという観点からは０．０５ｍｍ以上であることが好ましい。
【０２０８】
（４０）家庭用永久磁石磁気治療器が磁気シールド板を備えている場合、磁気シールド板は、鉄、鉄系合金及び磁性鋼からなることが好ましい。鉄、鉄系合金及び磁性鋼は、軟磁性金属材料の中でも磁気を遮蔽する効果が高いため、このような構成とすることにより、使用者の皮膚表面側以外への磁気を十分に遮蔽することが可能となる。
【０２０９】
（４１）家庭用永久磁石磁気治療器が保護ケース部の外に磁気シールド板を備えている場合、磁気シールド板の外面には保護層が形成されていることが好ましい。このような構成とすることにより、磁気シールド板を外気、汗等から保護し、磁気シールド板の耐食性を向上させることが可能となる。なお、保護層としては、金、白金、ロジウム又はパラジウムを主成分とするめっきや、種々の樹脂を用いることができる。
【０２１０】
（４２）上記実施形態８〜１０においては、家庭用永久磁石磁気治療器が単一の永久磁石部を備えるものであるが、本発明はこれに限定されるものではない。例えば、複数の永久磁石部を備えるものであってもよい。このように構成することにより、単一の永久磁石部を備える場合と比べて、複数の永久磁石部の角部においてより強い磁力を得ることができ、より大きな磁気治療効果を得ることが可能な家庭用永久磁石磁気治療器となる。なお、この場合において、保護ケース部が単一の永久磁石部収納部を有していてもよいし、複数の永久磁石部収納部を有していてもよい。保護ケース部が複数の永久磁石部収納部を有する場合には、それぞれの永久磁石部収納部に一つずつ永久磁石部を収納してもよいし、複数の永久磁石部を収納してもよい。
【０２１１】
（４３）上記実施例１〜３においては、実施例１に係る家庭用永久磁石磁気治療器１１４、実施例２に係る家庭用永久磁石磁気治療器１１６又は実施例３に係る家庭用永久磁石磁気治療器２１２の場合について、使用時に、使用者の皮膚表面において十分な磁力を確保することが可能となることを確認したが、本発明はこれに限定されるものではない。上記各実施形態においても、実施例１〜３に係る家庭用永久磁石磁気治療器の場合と同様に、使用時に、使用者の皮膚表面において十分な磁力を確保することが可能となる。
【０２１２】
（４４）上記実施例２においては、実施例２に係る家庭用永久磁石磁気治療器１１６の場合について、使用時に、使用者の皮膚表面側とは反対側への磁気を遮蔽することが可能となることを確認したが、本発明はこれに限定されるものではない。上記実施形態４及び５においても、実施例２に係る家庭用永久磁石磁気治療器１１６の場合と同様に、使用時に、使用者の皮膚表面側とは反対側への磁気を遮蔽することが可能となる。
【符号の説明】
【０２１３】
１０，１２ａ，１２ｂ，１２ｃ，１２ｄ，１４，１８…永久磁石部、１６…凹部、２０，２２，２４，２６，２８，１２０，１２２，２２０…保護ケース部、３０，３２，３４，３６…第１ケース部材、４０，４２，４４，４６，４８…第２ケース部材、５０，５２，５４，５６，５８，１３０，１３２，２３０…永久磁石部収納部、６０…シール部材、７０，７２，１５０…保護コーティング層、９０，９２…磁性めっき層、１００，１０２，１０４，１０６，１０８，１１０，１１２，２００，２０２，３００，９００…家庭用永久磁石磁気治療器、１４０，１４２，２４０…永久磁石部挿入孔、５００，９１０…絆創膏、９１２…絆創膏の基材、９１４…上部剥離紙、Ｈ…使用者の皮膚、ｔ１，ｔ５，ｔ７…保護ケース部の厚さ、ｔ２，ｔ３，ｔ４，ｔ６，ｔ８…永久磁石部の厚さ
【図１】
2011024653.tif 000003
【図２】
2011024653.tif 000004
【図３】
2011024653.tif 000005
【図４】
2011024653.tif 000006
【図５】
2011024653.tif 000007
【図６】
2011024653.tif 000008
【図７】
2011024653.tif 000009
【図８】
2011024653.tif 000010
【図９】
2011024653.tif 000011
【図１０】
2011024653.tif 000012
【図１１】
2011024653.tif 000013
【図１２】
2011024653.tif 000014
【図１３】
2011024653.tif 000015
【図１４】
2011024653.tif 000016
【図１５】
2011024653.tif 000017